(57)【要約】【課題】データの破損や装置の故障の発生を低減することが可能な車両情報記憶装置を提供する。【解決手段】車両情報を取得する車両情報取得部１２と、制御部１１と、内部記憶部１５と、が少なくとも筐体１６に収容され、外部記憶装置２００が制御部１１に取り外し可能に接続される車両用表示装置（車両情報記憶装置）１００である。制御部１１は、所定の記憶開始指示信号の入力に応じて、外部記憶装置２００の認識を行う認識処理と前記車両情報を第１の周期で内部記憶部１５に一時的に格納する一時記憶処理と内部記憶部１５に格納した前記車両情報を前記第１の周期よりも長い第２の周期で前記認識処理で認識した外部記憶装置２００に書込みする書込処理とを実行し、所定の記憶終了指示信号の入力に応じて、外部記憶装置２００の認識を解除する解除処理を実行する。【選択図】図１
2018105718.tif 000002
【特許請求の範囲】
【請求項１】
車両情報を取得する車両情報取得部と、制御部と、内部記憶部と、が少なくとも筐体に収容され、外部記憶装置が前記制御部に取り外し可能に接続される車両情報記憶装置であって、
前記制御部は、所定の記憶開始指示信号の入力に応じて、前記外部記憶装置の認識を行う認識処理と前記車両情報を第１の周期で前記内部記憶部に一時的に格納する一時記憶処理と前記内部記憶部に格納した前記車両情報を前記第１の周期よりも長い第２の周期で前記認識処理で認識した前記外部記憶装置に書込みする書込処理とを実行し、所定の記憶終了指示信号の入力に応じて、前記外部記憶装置の認識を解除する解除処理を実行する、
ことを特徴とする車両情報記憶装置。
【請求項２】
前記制御部は、前記書込処理を実行する毎に、前記外部記憶装置に格納された前記車両情報を読み込み可能な状態とするクローズ処理を実行する、
ことを特徴とする請求項１に記載の車両情報記憶装置。
【請求項３】
前記制御部の制御のもとで前記車両情報を表示する表示器を備えてなる、
ことを特徴とする請求項１に記載の車両情報記憶装置。
【発明の詳細な説明】
【技術分野】
【０００１】
本発明は、車両情報記憶装置に関する。
【背景技術】
【０００２】
従来より、特にサーキットを走行する競技車両等に備えられる装置として、走行中の車速やエンジン回転数、水温などの車両情報を所定時間記憶する機能を有するものが知られている（特許文献１〜３参照）。
【０００３】
特許文献１には、車両情報記憶機能を有する車両用計器が開示されており、外部ＳＲＡＭやＥ２ＰＲＯＭ、フラッシュメモリなどの記憶装置に所定時間中の車両情報を格納する。特許文献２には、車両情報記憶機能を有する計器の駆動装置が開示されており、メモリーカードなどの着脱可能な外部記憶装置に車両情報を格納する。外部記憶装置に車両情報を格納すると、外部の走行解析装置に容易に車両情報を移すことができ、より詳細な走行分析が可能となり利便性が高い。特許文献３には、車両情報記憶機能を有する計器の駆動装置において、車速検出信号の入力に応じて記憶装置への車両情報の格納を開始する点が開示されている。
【先行技術文献】
【特許文献】
【０００４】
【特許文献１】特開２０００−４６５８８号公報
【特許文献２】特開２００５−３１５５７５号公報
【特許文献３】特開２００７−９３３８８号公報
【発明の概要】
【発明が解決しようとする課題】
【０００５】
これら車両情報記憶機能を備える装置（以下、車両情報記憶装置ともいう）において、ＵＳＢ（Universal  Serial  Bus）メモリやメモリーカードなどの外部記憶装置は書込み回数等に制限があることから、第１の周期で装置に内蔵される記憶装置（以下、内部記憶部ともいう）に車両情報を一時的に格納し、その後第１の周期よりも長い第２の周期で外部記憶装置に内部記憶部内の車両情報を書込みすることが考えられる。しかしながら、電源をオフする前に、ユーザが外部記憶装置をデータが書き込み可能な状態のまま車両情報記憶装置から取り外してしまうと、データの破損や装置の故障につながる、という点でなお改良の余地があった。
【０００６】
本発明は、上記の点に鑑みてなされたものであり、データの破損や装置の故障の発生を低減することが可能な車両情報記憶装置を提供することを目的とする。
【課題を解決するための手段】
【０００７】
本発明の第１の観点に係る車両情報記憶装置は、
車両情報を取得する車両情報取得部と、制御部と、内部記憶部と、が少なくとも筐体に収容され、外部記憶装置が前記制御部に取り外し可能に接続される車両情報記憶装置であって、
前記制御部は、所定の記憶開始指示信号の入力に応じて、前記外部記憶装置の認識を行う認識処理と前記車両情報を第１の周期で前記内部記憶部に一時的に格納する一時記憶処理と前記内部記憶部に格納した前記車両情報を前記第１の周期よりも長い第２の周期で前記認識処理で認識した前記外部記憶装置に書込みする書込処理とを実行し、所定の記憶終了指示信号の入力に応じて、前記外部記憶装置の認識を解除する解除処理を実行する、
ことを特徴とする。
【発明の効果】
【０００８】
本発明によれば、データの破損や装置の故障の発生を低減することが可能となる。
【図面の簡単な説明】
【０００９】
【図１】本発明の第１の実施形態である車両用表示装置の電気的構成を示すブロック図である。
【図２】同上車両用表示装置における車両情報記憶処理を示すフローチャートである。
【図３】書込処理を示すフローチャートである。
【発明を実施するための形態】
【００１０】
以下、本発明に係る実施形態について図面を参照して説明する。なお、本発明は下記の実施形態（図面の内容も含む。）によって限定されるものではない。下記の実施形態に変更（構成要素の削除も含む）を加えることができるのはもちろんである。また、以下の説明では、本発明の理解を容易にするために、公知の技術的事項の説明を適宜省略する。
【００１１】
図１は、本発明の第１の実施形態に係る車両用表示装置１００（車両情報記憶装置の一例）の電気的構成を示す図である。
【００１２】
車両用表示装置１００は、制御部１１と、車両情報取得部１２と、操作部１３と、表示器１４と、内部記憶部１５と、筐体１６と、を備える。また、車両用表示装置１００には、外部記憶装置２００が制御部１１に取り外し可能に接続される。車両用表示装置１００は、車両情報を表示する車両情報表示機能と、所定時間中の車両情報を記憶する車両情報記憶機能と、を備える。
【００１３】
制御部１１は、例えばマイクロコンピュータからなる。制御部１１は、制御部１１が実行する処理（車両用表示装置１００全体の制御など）を実際に行うＣＰＵ（Central  Processing  Unit）と、ＣＰＵのメインメモリとして機能するＲＡＭ（Random  Access  Memory）からなる内部記憶部１５と、制御部１１に後述の処理などを実行させる各種プログラムを記憶するＲＯＭ（Read  Only  Memory）と、制御部１１に入出力される情報（信号）をＣＰＵ用にデジタル変換したり出力用にアナログ変換したりする各種変換器と、を備える。制御部１１は、ＣＰＵに加えて、制御部１１が行う処理の一部をＣＰＵに代わって実行するための各種専用回路（例えば、画像処理回路など）を備えても良い。
【００１４】
車両情報取得部１２は、例えば車両のＥＣＵ（Electronic  Control  Unit）、各種センサや信号ラインと接続され、車両状態に関する車両情報を取得し、制御部１１に送信する。車両情報としては、車速（走行速度）、エンジン回転数、水温、油温、排気温度、油圧、吸気圧、燃圧、アクセル開度、電圧などが挙げられる。
【００１５】
操作部１３は、車両用表示装置１００の各種設定を入力するためのものである。操作部１３は、押しボタンスイッチやタッチパネルなどからなる。本実施形態においては、操作部１３は、ユーザの各種操作により、少なくとも車両情報の記憶開始指示信号あるいは記憶終了指示信号を制御部１１に出力する。
【００１６】
表示器１４は、例えばＴＦＴ（Thin  Film  Transistor）型の液晶表示器や有機ＥＬ（Electro-luminescence）表示器からなる。表示器１４は、制御部１１の制御のもと、車両情報を画像によって表示する（車両情報表示機能の実行）。
【００１７】
筐体１６は、樹脂材料あるいは金属材料からなり、内部に制御部１１（内部記憶部１５を含む）、車両情報取得部１２、操作部１３、表示器１４を収容するものである。なお、操作部１３及び表示器１４については、筐体１６と別体に設けられ、有線あるいは無線で制御部１１と接続されてもよい。
【００１８】
外部記憶装置２００は、ＵＳＢメモリやメモリーカードなどのデータを書き込み及び読み込み可能なフラッシュメモリをケース体に収容してなる小型の記憶装置である。外部記憶装置２００は、筐体１６に設けられる接続口１６ａに取り外し可能に挿入され、コネクタ等を介して制御部１１と通信可能に接続される。
【００１９】
次に、図２を用いて車両用表示装置１００における前記車両情報記憶機能について説明する。図２は、前記車両情報記憶機能における処理を示すフローチャートである。
【００２０】
電源がオンされると、ステップＳ１において、制御部１１は、ＣＰＵ内のレジスタや内部記憶部１５に格納されている一時保存値を初期化する。
【００２１】
ステップＳ２において、制御部１１は、車両情報取得部１２による車両情報の取得を開始する。以後、車両情報取得部１２は、後述する第１の周期で車両情報を取得し制御部１１に送信する。制御部１１は車両情報を受信する。制御部１１は、車両情報として計測値を受信してもよいし、検出信号を受信して計測値を算出してもよい。内部記憶部１５や外部記憶装置２００に格納される車両情報とは、より正確には車両情報の計測値である。
【００２２】
ステップＳ３において、制御部１１は、所定の記憶開始指示信号の入力があったか否かを判定する。前記記憶開始指示信号は、例えば操作部１３の操作入力によるほか、車速やエンジン回転数が一定値以上である場合に制御部１１から出力されてもよい。また、車両の位置情報を取得可能に設け、車両の位置が所定の２点間の直線を通過した場合に制御部１１から前記記憶開始指示信号が出力されてもよい。また、路面に埋設される磁石の磁気を検出した磁気検出信号を取得可能に設け、この磁気検出信号の入力に応じて制御部１１から前記記憶開始指示信号が出力されてもよい。すなわち、前記記憶開始指示信号は、手動による出力のほか、自動で出力されてもよい（自動記憶開始機能）。前記記憶開始指示信号の入力があった場合（ステップＳ３でＹＥＳ）は、ステップＳ４に進み、入力がなかった場合は（ステップＳ３でＮＯ）、ステップＳ９に進む。
【００２３】
ステップＳ４において、制御部１１は、外部記憶装置２００の認識を行うマウント処理（認識処理）を行う。認識された外部記憶装置２００は、論理的に制御部１１から書き込み及び読み込みが可能な接続状態となる。
【００２４】
ステップＳ５において、制御部１１は、車両情報取得部１２から取得した車両情報（取得した情報に基いて制御部１１で算出した場合も含む）を所定の第１の周期（例えば１秒程度）毎に内部記憶部１５に一時的に格納する。
【００２５】
ステップＳ６において、制御部１１は、内部記憶部１５に一時的に格納した車両情報を前記第１の周期よりも長い第２の周期（例えば数秒程度）毎にステップＳ４で認識した外部記憶装置２００に書き込みする書込処理を行う。この書込処理において、制御部１１は、図３に示すように、ステップＳ６１で外部記憶装置２００内の所定ファイルを車両情報の書込みが可能な状態とするオープン処理を実行し、次いでステップＳ６２で車両情報を当該ファイルに書き込む車両情報書込処理を実行し、次いでステップＳ６３で当該ファイルを読み込み可能な状態とするクローズ処理を実行する。このように前記書込処理毎に前記クローズ処理を実行することで、記憶中の不意なタイミングで外部記憶装置２００が取り外された場合でも、ファイル（車両情報）が読み込み可能な状態で格納される。なお、上記の点を考慮しなければ、前記クローズ処理を前記書込処理毎に実行せず、後述する記憶終了指示信号の入力があった場合（ステップＳ７でＹＥＳ）に実行してもよい。外部記憶装置２００に書き込まれた後、内部記憶部１５に格納される車両情報は消去される。
【００２６】
ステップＳ７において、制御部１１は、所定の記憶終了指示信号の入力があったか否かを判定する。前記記憶終了指示信号は、例えば操作部１３の操作入力によるほか、車速やエンジン回転数が一定値未満で変化がない場合、車速信号やアクセル開度信号の入力がない場合、所定時間が経過した場合に制御部１１から出力されてもよい。また、車両の位置情報を取得可能に設け、車両の位置に変化がない場合や所定の２点間の直線を通過した場合に制御部１１から前記記憶終了指示信号が出力されてもよい。また、路面に埋設される磁石の磁気を検出した磁気検出信号を取得可能に設け、この磁気検出信号の入力に応じて制御部１１から前記記憶終了指示信号が出力されてもよい。すなわち、前記記憶終了指示信号は、手動による出力のほか、自動で出力されてもよい（自動記憶終了機能）。前記記憶終了指示信号の入力があった場合（ステップＳ７でＹＥＳ）は、ステップＳ８に進み、入力がなかった場合（ステップＳ７でＮＯ）は、ステップＳ５に戻ってステップＳ５、Ｓ６の処理を繰り返す。
【００２７】
ステップＳ８において、制御部１１は、内部記憶部１５内の車両情報を全て外部記憶部２００に書込みした後で、外部記憶装置２００の認識を解除するアンマウント処理（解除処理）を行う。認識を解除された外部記憶装置２００は、論理的に制御部１１から書き込み及び読み込みが不可能な未接続状態となり、安全に取り外すことができる。
【００２８】
ステップＳ９において、制御部１１は、所定の終了イベント信号の入力があったか否かを判定する。前記終了イベント信号は、例えば車両の電源スイッチのオフ操作などに応じて制御部１１に入力される。前記終了イベント信号の入力があった場合（ステップＳ９でＹＥＳ）は、制御部１１は電源をオフし、前記終了イベント信号の入力がなかった場合（ステップＳ９でＮＯ）は、ステップＳ３に戻って再度、前記記憶開始指示信号の有無を判定する。
【００２９】
以上の処理を繰り返し実行することによって、車両用表示装置１００は、前記記憶開始指示信号の入力があったときから前記記憶終了指示信号の入力があったときまでの間、車両情報を内部記憶部１５を経て外部記憶装置２００に格納することができる。また、前記記憶終了指示信号の入力に応じて、自動的に外部記憶装置２００への書込みを終了し、安全に取り外せる状態とする。これによれば、電源をオフする前に外部記憶装置２００が取り外されても、データの破損や装置の故障の発生を低減することができる。
【００３０】
以上の作用及び効果は、以下の構成によって得ることができる。
【００３１】
本実施形態における車両用表示装置１００は、車両情報を取得する車両情報取得部１２と、制御部１１と、内部記憶部１５と、が少なくとも筐体１６に収容され、外部記憶装置２００が制御部１１に取り外し可能に接続される車両情報記憶装置であって、
制御部１１は、所定の記憶開始指示信号の入力に応じて、外部記憶装置２００の認識を行う認識処理と前記車両情報を第１の周期で内部記憶部１５に一時的に格納する一時記憶処理と内部記憶部１５に格納した前記車両情報を前記第１の周期よりも長い第２の周期で前記認識処理で認識した外部記憶装置２００に書込みする書込処理とを実行し、所定の記憶終了指示信号の入力に応じて、外部記憶装置２００の認識を解除する解除処理を実行する。
【００３２】
また、制御部１１は、前記書込処理を実行する毎に、外部記憶装置２００に格納された前記車両情報を読み込み可能な状態とするクローズ処理を実行する。
【００３３】
制御部１１の制御のもとで前記車両情報を表示する表示器１４を備えてなる。
【００３４】
本実施形態において、車両用表示装置１００は、表示器１４を備えるものであったが、本発明の車両情報記憶装置は、表示器を備えず（車両情報表示機能を有さず）、車両情報の記憶のみを行うものや、制御部の制御のもとアナログ計器を駆動させる（車両情報をアナログ表示する）ものであってもよい。また、本発明の車両情報記憶装置は、車両情報とともに車載カメラで撮像した車両周辺画像（主に車両前方の画像）や地図情報及び車両位置情報、外気温などの環境情報などの車両情報以外の他の情報を外部記憶装置２００に格納してもよい。
【産業上の利用可能性】
【００３５】
本発明は、車両情報記憶装置に好適である。
【符号の説明】
【００３６】
１００  車両用表示装置（車両情報記憶装置）
１１    制御部
１２    車両情報取得部
１３    操作部
１４    表示器
１５    内部記憶部
１６    筐体
２００  外部記憶装置
【図１】
2018105718.tif 000003
【図２】
2018105718.tif 000004
【図３】
2018105718.tif 000005